(57)【特許請求の範囲】
【請求項１】
（ａ）相手側コネクタが挿入される嵌合空間と、該嵌合空間よりも奥側に配された端子収容部と、を有するコネクタハウジングと、（ｂ）前記端子収容部に取り付けられる基端部と、前記嵌合空間内に位置付けられる棒状の電気接続部と、を有する雄型端子と、（ｃ）前記電気接続部が通される端子挿通孔を有して板状に設けられ、前記嵌合空間内に移動可能に設けられた、前記電気接続部を規定の位置に位置決めするアライニングプレートであって、前記相手側コネクタの嵌合前は、前記端子挿通孔内に前記電気接続部の前記基端部から離れた一端部分を位置付ける仮係止位置に位置付けられ、そして、前記相手側コネクタの嵌合にともなって該相手側コネクタにより奥側に押圧されて、前記端子挿通孔内に前記電気接続部の前記基端部寄りの他端部分を位置付ける本係止位置に移動されるアライニングプレートと、を有するアライニングプレート付きコネクタにおいて、
（イ）前記嵌合空間を構成する内壁から前記端子収容部側に延設され、前記アライニングプレートの外側に位置付けられるアーム部と、該アーム部の前記内壁から離れた端部から突出し、前記アライニングプレートの前記端子収容部側の面に当たる突起部と、で構成された、前記アライニングプレートを前記仮係止位置に保持する仮係止フックが設けられ、
（ロ）前記突起部に、前記アライニングプレートが前記端子収容部側に押圧されることによって前記アーム部を前記嵌合空間の内側に引っ張るベクトルを生じる、前記アライニングプレートとの接触部が設けられている
ことを特徴とするアライニングプレート付きコネクタ。
【請求項２】
前記アライニングプレートに凹状の窪みが設けられ、該窪みの内面が、前記接触部に接触することを特徴とする請求項１に記載のアライニングプレート付きコネクタ。
【請求項３】
前記接触部が、前記アライニングプレートと線接触するように設けられていることを特徴とする請求項１または請求項２に記載されたアライニングプレート付きコネクタ。
【請求項４】
前記アーム部が、押圧力が加えられていない状態で、前記端子収容部側に向かうにしたがって前記嵌合空間の中心側に向かう方向に湾曲した形状に設けられていることを特徴とする請求項１ないし請求項３のうち１項に記載のアライニングプレート付きコネクタ。
【請求項５】
前記アライニングプレートに、他の部分よりも厚みが薄く形成され、当該アライニングプレートがその応力の限界値を超える力で前記端子収容部側に押圧された際にせん断されるせん断部が設けられていることを特徴とする請求項１ないし請求項４のうち１項に記載のアライニングプレート付きコネクタ。
【発明の詳細な説明】
【技術分野】
【０００１】
本発明は、雄型端子を支持して規定の位置に位置決めするアライニングプレートを有するアライニングプレート付きコネクタに関するものである。
【背景技術】
【０００２】
車両等に配索される電線を電気的に接続するコネクタには、いわゆる雄型コネクタと雌型コネクタとがあり、各コネクタは、コネクタハウジングと、コネクタハウジング内に収容される端子とを有している。また、前記雌型コネクタは、前記雄型コネクタが嵌合される嵌合空間を有する前記コネクタハウジングと、雄型の前記端子（以下、雄型端子と呼ぶ。）とを有している。この雄型端子は、基端部が前記コネクタハウジングの端子収容部に取り付けられ、基端部から延びた電気接続部が前記嵌合空間内に位置付けられている。
【０００３】
上記雌型コネクタの上記雄型端子の電気接続部は、細長い棒状に設けられていることから曲がりやすく、相手側の雄型コネクタに収納された雌型の端子（以下、雌型端子と呼ぶ。）に対して位置ずれを生じやすいという課題を有している。このような課題の解決を図るために、図５に示すような、前記雄型端子の電気接続部を規定の位置に位置決めするアライニングプレート（ムービングプレートとも呼ばれている。）の備わる雌型コネクタが用いられている（例えば特許文献１，特許文献２を参照。）。
【０００４】
図５に示す雌型コネクタ１０１は、相手側の雄型コネクタ１０２が挿入方向Ｋ方向に沿って挿入される嵌合空間１４０と、この嵌合空間１４０よりも挿入方向Ｋに沿った奥側の位置に配された端子収容部１４４と、を有するコネクタハウジング１０４と、基端部が端子収容部１４４に取り付けられ、電気接続部が嵌合空間１４０内に位置付けられた複数の雄型端子１０５と、コネクタハウジング１０４とは別体で設けられ、嵌合空間１４０内に移動可能に設けられたアライニングプレート１０３と、を有している。
【０００５】
上記アライニングプレート１０３は、雄型端子１０５の電気接続部が通される端子挿通孔を有する板状のプレート部１３０と、プレート部１３０の長手方向Ｌに沿った両端からそれぞれ延出された一対の本係止アーム１３２と、を有している。
【０００６】
また、雄型コネクタ１０２との嵌合前の上記アライニングプレート１０３は、図５に実線で示す仮係止位置にあり、嵌合空間１４０を構成する内壁１４１に設けられた仮係止フック１０６に、プレート部１３０の長手方向Ｌに沿った両端部の、端子収容部１４４側の表面１３０ａそれぞれが当接して、前記仮係止フック１０６に保持されている。このことにより、アライニングプレート１０３は、雄型コネクタ１０２を嵌合空間１４０内に挿入しない限り、奥側即ち端子収容部１４４側に移動することが防止されている。
【０００７】
また、上記アライニングプレート１０３は、雄型コネクタ１０２が嵌合空間１４０内に挿入されてこの雄型コネクタ１０２により端子収容部１４４側に押圧されると、仮係止フック１０６が嵌合空間１４０の外方に撓んで表面１３０ａから外れて、図５に一点鎖線で示す本係止位置に移動される。そして、アライニングプレート１０３は、前記本係止位置において、一対の本係止アーム１３２が、コネクタハウジング１０４内の嵌合空間１４０よりも奥側に設けられた本係止ロック１４２に係止されることによって、前記本係止位置に固定される。
【特許文献１】特開２００２−３４３４８３号公報
【特許文献２】特開２００６−２５３０７４号公報
【発明の開示】
【発明が解決しようとする課題】
【０００８】
しかしながら、上述した従来のアライニングプレート１０３が備わる雌型コネクタ１０１では、解決すべき以下の問題点がある。即ち、コネクタハウジング１０４に雄型端子１０５を収容した状態で雌型コネクタ１０１を搬送する際などに、アライニングプレート１０３が仮係止位置から奥側の本係止位置に不用意に移動されることがある。即ち、雌型コネクタ１０１の嵌合空間１４０内に作業者の手や嵌合相手以外のコネクタ等が挿入された場合に、これらがアライニングプレート１０３のプレート部１３０を奥側へ無理やり押圧して、仮係止フック１０６と表面１３０ａとの係止が解除され、アライニングプレート１０３が仮係止位置から本係止側へ移動されることがある。
【０００９】
これは、仮係止フック１０６によるアライニングプレート１０３の保持構造に起因するものである。即ち、図６（ａ）に示すように、仮係止フック１０６は、図５に示す内壁１４１に連なり、挿入方向Ｋに沿って端子収容部１４４側に延びたアーム部１６１と、該アーム部１６１の内壁１４１から離れた端部から突出し、アライニングプレート１０３の表面１３０ａに重なる突起部１６３と、で構成されている。このような仮係止フック１０６は、図６（ｂ）に示すように、プレート部１３０が端子収容部１４４側に押圧されると、アーム部１６１が嵌合空間１４０の外方に撓んで突起部１６３と表面１３０ａとの重なり代が少なくなるので、図６（ｃ）に示すように突起部１６３が容易に表面１３０ａから外れてしまうためである。
【００１０】
なお、アライニングプレート１０３が奥側へ移動して仮係止位置になければ、雄型端子１０５の電気接続部が自由状態になり、作業者の手や嵌合相手以外のコネクタなどとの干渉により容易に変形することとなる。また、作業者の手や嵌合相手以外のコネクタなどと干渉しない場合であっても、雄型端子１０５の電気接続部はアライニングプレート１０３に位置決めされないがゆえに、心振れを生じて雄型コネクタ１０２の雌型端子に正規嵌合されない恐れもある。
【００１１】
そこで、本発明は、上記のような問題点に着目し、アライニングプレートを確実に仮係止位置に保持することができるアライニングプレート付きコネクタを提供することを目的とする。
【課題を解決するための手段】
【００１２】
上記目的を達成するために請求項１に記載された発明は、（ａ）相手側コネクタが挿入される嵌合空間と、該嵌合空間よりも奥側に配された端子収容部と、を有するコネクタハウジングと、（ｂ）前記端子収容部に取り付けられる基端部と、前記嵌合空間内に位置付けられる棒状の電気接続部と、を有する雄型端子と、（ｃ）前記電気接続部が通される端子挿通孔を有して板状に設けられ、前記嵌合空間内に移動可能に設けられた、前記電気接続部を規定の位置に位置決めするアライニングプレートであって、前記相手側コネクタの嵌合前は、前記端子挿通孔内に前記電気接続部の前記基端部から離れた一端部分を位置付ける仮係止位置に位置付けられ、そして、前記相手側コネクタの嵌合にともなって該相手側コネクタにより奥側に押圧されて、前記端子挿通孔内に前記電気接続部の前記基端部寄りの他端部分を位置付ける本係止位置に移動されるアライニングプレートと、を有するアライニングプレート付きコネクタにおいて、（イ）前記嵌合空間を構成する内壁から前記端子収容部側に延設され、前記アライニングプレートの外側に位置付けられるアーム部と、該アーム部の前記内壁から離れた端部から突出し、前記アライニングプレートの前記端子収容部側の面に当たる突起部と、で構成された、前記アライニングプレートを前記仮係止位置に保持する仮係止フックが設けられ、（ロ）前記突起部に、前記アライニングプレートが前記端子収容部側に押圧されることによって前記アーム部を前記嵌合空間の内側に引っ張るベクトルを生じる、前記アライニングプレートとの接触部が設けられていることを特徴とするアライニングプレート付きコネクタである。
【００１３】
請求項２に記載された発明は、請求項１に記載された発明において、前記アライニングプレートに凹状の窪みが設けられ、該窪みの内面が、前記接触部に接触することを特徴とするものである。
【００１４】
請求項３に記載された発明は、請求項１または請求項２に記載された発明において、前記接触部が、前記アライニングプレートと線接触するように設けられていることを特徴とするものである。
【００１５】
請求項４に記載された発明は、請求項１ないし請求項３のうち１項に記載された発明において、前記アーム部が、押圧力が加えられていない状態で、前記端子収容部側に向かうにしたがって前記嵌合空間の中心側に向かう方向に湾曲した形状に設けられていることを特徴とするものである。
【００１６】
請求項５に記載された発明は、請求項１ないし請求項４のうち１項に記載された発明において、前記アライニングプレートに、他の部分よりも厚みが薄く形成され、当該アライニングプレートがその応力の限界値を超える力で前記端子収容部側に押圧された際にせん断されるせん断部が設けられていることを特徴とするものである。
【発明の効果】
【００１７】
請求項１に記載された発明によれば、（イ）前記嵌合空間を構成する内壁から前記端子収容部側に延設され、前記アライニングプレートの外側に位置付けられるアーム部と、該アーム部の前記内壁から離れた端部から突出し、前記アライニングプレートの前記端子収容部側の面に当たる突起部と、で構成された、前記アライニングプレートを前記仮係止位置に保持する仮係止フックが設けられ、（ロ）前記突起部に、前記アライニングプレートが前記端子収容部側に押圧されることによって前記アーム部を前記嵌合空間の内側に引っ張るベクトルを生じる、前記アライニングプレートとの接触部が設けられていることから、アライニングプレートが作業者の手や嵌合相手以外のコネクタにより無理やり端子収容部側に押圧されることにより、仮係止フックのアーム部が嵌合空間の内側に引っ張られて内側に撓むので、突起部とアライニングプレートの表面との重なり代が少なくなることがなく、そのために、アライニングプレートがこの突起部を乗り越えて端子収容部側に移動されることを防止できる。よって、相手側コネクタの嵌合動作によってアライニングプレートが押圧されない限りは、アライニングプレートが端子収容部側に移動することが防止される。したがって、アライニングプレートを確実に仮係止位置に保持することができるアライニングプレート付きコネクタを提供することができる。
【００１８】
請求項２に記載された発明によれば、前記アライニングプレートに凹状の窪みが設けられ、該窪みの内面が、前記接触部に接触することから、アライニングプレートの厚みを大きくしなくても、突起部とアライニングプレートの表面との重なり代を大きくすることができる。また、アライニングプレートの厚みを大きくしなくても、前記窪みの内面の前記接触部に当たる部分の傾斜角度をアライニングプレートの面方向に対して急な角度にすることができる。
【００１９】
請求項３に記載された発明によれば、前記接触部が、前記アライニングプレートと線接触するように設けられていることから、前記接触部に生じるベクトルの向きを嵌合空間の中心に近付けることが容易になる。
【００２０】
請求項４に記載された発明によれば、前記アーム部が、押圧力が加えられていない状態で、前記端子収容部側に向かうにしたがって前記嵌合空間の中心側に向かう方向に湾曲した形状に設けられていることから、前記突起部のテーパ面の傾斜角度をアライニングプレートの面方向に対して急な角度にすることができ、前記テーパ面上に位置する前記接触部に生じるベクトルの向きを嵌合空間の中心に近付けることが容易になる。また、前記突起部に押圧力が加えられると、アーム部が湾曲した状態から直線形状に弾性変形するので、突起部とアライニングプレートの表面との重なり代が少なくなることがない。
【００２１】
請求項５に記載された発明によれば、前記アライニングプレートに、他の部分よりも厚みが薄く形成され、当該アライニングプレートがその応力の限界値を超える力で前記端子収容部側に押圧された際にせん断されるせん断部が設けられていることから、仮係止フックが破損することを防止でき、破損したアライニングプレートを交換することでコネクタハウジングを再利用することができる。
【発明を実施するための最良の形態】
【００２２】
以下、本発明の一実施の形態にかかるアライニングプレート付きコネクタを図１ないし図４を参照しながら説明する。
【００２３】
図１は、本発明の一実施の形態にかかるアライニングプレート付きコネクタを示す断面図である。図２（ａ）は、図１に示されたアライニングプレート付きコネクタを構成するアライニングプレートを示す斜視図であり、図２（ｂ）は、図２（ａ）に示されたアライニングプレートの要部を拡大した斜視図である。図３は、図１に示されたアライニングプレート付きコネクタを構成する仮係止フックによるアライニングプレートの保持構造の動作を説明する説明図であり、図３（ａ）は、アライニングプレートが仮係止フックに保持される前の状態を示す図であり、図３（ｂ）は、アライニングプレートが仮係止フックに保持された状態を示す図であり、図３（ｃ）は、仮係止フックに保持されたアライニングプレートが押圧された状態を示す図であり、図３（ｄ）は、図３（ｃ）に示されたアライニングプレートがさらに大きい力で押圧された状態を示す図である。図４は、図３（ｄ）に示された状態の仮係止フックの接触部に生じるベクトルを説明する説明図である。
【００２４】
本発明のアライニングプレート付きコネクタ１は、図１に示すように、コネクタハウジング４と、複数の雄型端子５と、アライニングプレート３と、を有している。
【００２５】
上記コネクタハウジング４は、絶縁性の合成樹脂で構成され、相手側コネクタとしての雄型コネクタ２が挿入方向Ｋに沿って挿入される嵌合空間４０と、この嵌合空間４０よりも挿入方向Ｋに沿った奥側の位置に配された端子収容部４４と、を有している。また、嵌合空間４０を構成する内壁のうち互いに相対する一対の内壁４１には、アライニングプレート３を後述の仮係止位置に保持する仮係止フック６がそれぞれ２つずつ（計４つ）設けられている。
【００２６】
上記仮係止フック６は、アライニングプレート３の後述のプレート部３０の四隅に係止する位置に設けられている。この仮係止フック６は、図３及び図４に示すように、嵌合空間４０を構成する内壁４１から端子収容部４４側に延設され、後述のプレート部３０の長手方向Ｌに沿った両端の外側に位置付けられるアーム部６０と、このアーム部６０の内壁４１から離れた端部から突出し、後述のプレート部３０の端子収容部４４側の面に当たる突起部６３と、アーム部６０の側面と突起部６３の側面とを連結した解除板部６４と、で構成されている。この解除板部６４は、雄型コネクタ２の嵌合時に、この雄型コネクタ２に押圧されることによってアーム部６０を嵌合空間４０の外方に撓ませる。このことにより、仮係止フック６によるプレート部３０の保持が解除されて、プレート部３０が端子収容部４４側に移動できるようになる。
【００２７】
上記複数の雄型端子５は、導電性の金属板にプレス加工が施されて得られるものであり、端子収容部４４に取り付けられる基端部（不図示）と、嵌合空間４０内に位置付けられる棒状の電気接続部５ａと、を有している。この電気接続部５ａは、雄型コネクタ２の雌型端子と嵌合される。
【００２８】
上記アライニングプレート３は、コネクタハウジング４とは別体で設けられたものであり、電気接続部５ａを規定の位置に位置決めするためのものである。また、アライニングプレート３は、嵌合空間４０の開口から嵌合空間４０内に挿入され、嵌合空間４０内に挿入方向Ｋに沿って移動可能に設けられている。このアライニングプレート３は、図２などに示すように、板状に設けられたプレート部３０と、プレート部３０の長手方向Ｌに沿った両端からそれぞれ延出された一対の本係止アーム３２と、を有している。
【００２９】
上記プレート部３０は、電気接続部５ａが通される端子挿通孔３１を複数有している。即ちアライニングプレート３は、端子挿通孔３１内に電気接続部５ａを位置付けることによりこの電気接続部５ａの位置を規定する。また、このプレート部３０は、その四隅が仮係止フック６にそれぞれ支えられることにより、図１に実線で示す仮係止位置に保持される。また、アライニングプレート３は、このプレート部３０の厚み方向が挿入方向Ｋと平行になる向きで嵌合空間４０内に挿入される。
【００３０】
上記一対の本係止アーム３２は、プレート部３０の長手方向Ｌに沿った両端部にそれぞれ設けられているとともに、プレート部３０の短手方向の中央に設けられている。また、本係止アーム３２は、プレート部３０の端子収容部４４側の表面から立設している。この本係止アーム３２は、アライニングプレート３が図１に一点鎖線で示す本係止位置に移動された際に、コネクタハウジング４内の嵌合空間４０よりも奥側に設けられた本係止ロック４２に係止されることによって、アライニングプレート３を前記本係止位置に固定する。
【００３１】
このようなアライニングプレート３は、図３（ａ）に示すように、嵌合空間４０の開口から挿入方向Ｋに沿って嵌合空間４０内に挿入されて前記仮係止位置にセットされる。そして、仮係止位置に位置付けられた状態において、即ち雄型コネクタ２の嵌合前において、端子挿通孔３１内に電気接続部５ａの前記基端部から離れた一端部分を位置付ける。そして、雄型コネクタ２の嵌合にともなって仮係止フック６によるプレート部３０の保持が解除されるとともにこのプレート部３０が雄型コネクタ２により奥側即ち端子収容部４４側に押圧されて前記本係止位置に移動される。そして、本係止位置に位置付けられた状態において、即ち雄型コネクタ２が本アライニングプレート付きコネクタ１に嵌合された状態において、端子挿通孔３１内に電気接続部５ａの前記基端部寄りの他端部分を位置付ける。
【００３２】
続いて、上記仮係止フック６による上記アライニングプレート３の保持構造について詳細に説明する。
【００３３】
本発明のアライニングプレート付きコネクタ１は、コネクタハウジング４に雄型端子５及びアライニングプレート３を収容した状態での搬送時などに、思いがけず嵌合空間４０内に作業者の手や嵌合相手以外のコネクタなどが挿入されることなどがあっても、アライニングプレート３を確実に仮係止位置に保持できるようにするために、以下の構成により、仮係止フック６によるアライニングプレート３の保持力を高くしている。
【００３４】
即ち、本発明では、仮係止位置に保持されたアライニングプレート３のプレート部３０が作業者の手や嵌合相手以外のコネクタにより無理やり端子収容部４４側に押圧された際に、図３（ｃ）及び図３（ｄ）に示すように仮係止フック６のアーム部６０を嵌合空間４０の内側に撓ませるようにし、プレート部３０が端子収容部４４側に抜けることがないように、これら仮係止フック６とアライニングプレート３とを設計している。
【００３５】
また、仮係止位置に保持されたアライニングプレート３のプレート部３０が作業者の手や嵌合相手以外のコネクタにより、その応力の限界値を超える大きな力で無理やり押圧された際には、せん断されて仮係止フック６によるプレート部３０の保持を解除させるせん断部３４が、プレート部３０の四隅にそれぞれ設けられている。このせん断部３４については後述する。
【００３６】
上述したようにアーム部６０を内側に撓ませるようにするため、具体的には、アライニングプレート３のプレート部３０の四隅の端子収容部４４側の面に、プレート部３０の表面から凹に形成された窪み３３が設けられている。この窪み３３には仮係止フック６の突起部６３の先端が係止される。また、この突起部６３は、先端に向かうにしたがって嵌合空間４０の中心に近付く方向に突出しているとともに、先端に向かうにしたがって端子収容部４４から嵌合空間４０の開口に向かう方向に突出している。
【００３７】
さらに、仮係止フック６のアーム部６０が、内壁４１から挿入方向Ｋとほぼ平行に延びた第１の部分６１と、第１の部分６１に連なり嵌合空間４０の中心側に向かう方向に沿って延びた第２の部分６２と、で構成され、全体として嵌合空間４０の開口側から端子収容部４４側に向かうにしたがって嵌合空間４０の中心側に向かう方向に湾曲した形状に設けられている。
【００３８】
このような仮係止フック６とアライニングプレート３とは、図３（ｂ）に示す状態のプレート部３０が、図３（ｃ）及び図３（ｄ）に示すように、作業者の手や嵌合相手以外のコネクタにより無理やり端子収容部４４側に押圧されると、窪み３３の内面が突起部６３の先端に押し当てられて、これら窪み３３の内面と突起部６３の先端とが線接触する。この時に線接触する突起部６３の先端の一部を本発明では「接触部」と呼ぶ。さらに、この接触部が生じるベクトルについて、図４を用いて説明する。
【００３９】
図４において、点Ｎは、上述した突起部６３の窪み３３の内面との接触部を示している。一点鎖線Ｍは、接触部Ｎの接線を示している。矢印Ｐ１は、プレート部３０が押圧されることにより生じる、接触部Ｎ上に存在する荷重をベクトルで示したものである。この荷重Ｐ１の向きは、挿入方向Ｋと平行である。矢印Ｐ２は、窪み３３の内面が接触部Ｎを接線Ｍに対して垂直に押す力をベクトルで示したものである。即ち、矢印Ｐ２は、接触部Ｎに生じるベクトルである。
【００４０】
そして、アーム部６０を嵌合空間４０の内側に撓ませるためには、ベクトルＰ２の向きが、図４に示すように、荷重Ｐ１の向きよりも嵌合空間４０の中心側を向いていれば良い。即ち、「アーム部６０を嵌合空間４０の内側に引っ張ることが可能なベクトル」とは、「荷重Ｐ１の向き、即ち挿入方向Ｋの向き、よりも嵌合空間４０の中心側を向いた向きを有するベクトル」である。
【００４１】
このような向きを有するベクトルＰ２を接触部Ｎに生じさせるためには、突起部６３の接触部Ｎを有するテーパ面６３ａ（図４を参照。）の傾斜角度を、プレート部３０の長手方向Ｌ（即ち、撓んでいない状態のプレート部３０の面方向）に対して急な角度にする必要がある。また、前記「急な角度」とは、プレート部３０が突起部６３に押し付けられてアーム部６０とテーパ面６３ａとのなす角度が拡げられた場合においても、接触部Ｎの接線Ｍが前記長手方向Ｌと平行にならない角度であり、接線Ｍが、嵌合空間４０の奥側に向かうにしたがって嵌合空間４０の外方に向かう方向に傾斜した直線となる角度である。また、このテーパ面６３ａの先端に位置するエッジが前述した接触部Ｎを構成している。
【００４２】
そして、上述した傾斜角度が急なテーパ面６３ａ上に設けられた接触部Ｎに、プレート部３０の端子収容部４４側の面を当てるためには、該面の傾斜角度も急な角度にする必要があるところ、本発明では、上述したように、窪み３３を設けてこの窪み３３の内面を接触部Ｎに当てるようにしているので、プレート部３０の厚みを大きくすることなく、接触部Ｎにプレート部３０を押し付けることが可能となっている。また、この窪み３３を設けることによって、突起部６３とプレート部３０との重なり代を大きくすることができる。
【００４３】
また、本発明では、必ずしも接触部Ｎをプレート部３０の表面、即ち窪み３３の内面、と線接触させる必要はなく、面接触させるようにしても良いが、上述したように線接触させるようにすることで、ベクトルＰ２の向きを嵌合空間４０の中心に近付けることが容易になる。即ち、ベクトルＰ２の向きを微調整し易くなる。
【００４４】
上記せん断部３４は、図２（ｂ）及び図４に点線で示す箇所である。即ち、せん断部３４は、窪み３３の底部に設けられているとともに底部から隆起した隆起部３５（図２（ｂ）を参照）を囲む部分である。また、前記「窪み３３の底部」とは、プレート部３０の四隅において最も厚みが薄く形成された部分を意味する。また、前記「隆起部３５」は、窪み３３の内面を構成する一部分であり、接触部Ｎに線接触する部分を有している。このせん断部３４のせん断力は、隆起部３５を囲む断面ａ及び断面ｂのせん断力である。よって、プレート部３０が押圧されると、このせん断部３４がせん断されるまではプレート部３０及び仮係止フック６が撓むが、このせん断力を超える押圧力がプレート部３０の四隅即ちせん断部３４に加えられると、せん断部３４即ち断面ａ及び断面ｂがせん断して隆起部３５が取れ、突起部６３がプレート部３０との引っ掛かり部分を失ってプレート部３０から外れる。
【００４５】
また、前述した荷重Ｐ１の大きさの上限値は、前述したせん断部３４のせん断力となる。
【００４６】
本発明では、このように、アライニングプレート３にせん断部３４が設けられていることから、仮係止フック６によるプレート部３０の保持力を高めつつも、この仮係止フック６が破損することを回避できるようにしている。即ち、応力の限界値を超える大きな力がプレート部３０に加えられた場合はアライニングプレート３側をせん断即ち破損させるようにしているので、破損したアライニングプレート３を交換することでコネクタハウジング４を再利用することができる。
【００４７】
上述した構成のアライニングプレート付きコネクタ１は、コネクタハウジング４に雄型端子５が収容され、アライニングプレート３が仮係止位置に位置付けられた状態で搬送される。そして、このアライニングプレート付きコネクタ１の搬送時などに嵌合空間４０内に作業者の手や嵌合相手以外のコネクタが挿入されてプレート部３０が無理やり端子収容部４４側に押圧されると、アーム部６０が嵌合空間４０の内側に引っ張られて内側に撓み、突起部６３とプレート部３０との重なり代が十分に確保されて、プレート部３０が端子収容部４４側に移動することが防止され、アライニングプレート３が確実に仮係止位置に保持される。
【００４８】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４９】
【図１】本発明の一実施の形態にかかるアライニングプレート付きコネクタを示す断面図である。
【図２】図２（ａ）は、図１に示されたアライニングプレート付きコネクタを構成するアライニングプレートを示す斜視図であり、図２（ｂ）は、図２（ａ）に示されたアライニングプレートの要部を拡大した斜視図である。
【図３】図１のＡ部に示されたアライニングプレート付きコネクタを構成する仮係止フックによるアライニングプレートの保持構造の動作を説明する説明図であり、（ａ）は、アライニングプレートが仮係止フックに保持される前の状態を示す図であり、（ｂ）は、アライニングプレートが仮係止フックに保持された状態を示す図であり、（ｃ）は、仮係止フックに保持されたアライニングプレートが押圧された状態を示す図であり、（ｄ）は、（ｃ）に示されたアライニングプレートがさらに大きい力で押圧された状態を示す図である。
【図４】図３（ｄ）に示された状態の仮係止フックの接触部に生じるベクトルを説明する説明図である。
【図５】従来のアライニングプレート付きコネクタを示す断面図である。
【図６】図５のＢ部に示されたアライニングプレート付きコネクタを構成する仮係止フックによるアライニングプレートの保持構造の動作を説明する説明図である。
【符号の説明】
【００５０】
１  アライニングプレート付きコネクタ
２  雄型コネクタ（相手側コネクタ）
３  アライニングプレート
４  コネクタハウジング
５  雄型端子
５ａ  電気接続部
６  仮係止フック
３１  端子挿通孔
３３  窪み
３４  せん断部
４０  嵌合空間
４４  端子収容部
６０  アーム部
６３  突起部
Ｎ  接触部
Ｐ２  ベクトル
【図１】
0004914848.tif 000002
【図２】
0004914848.tif 000003
【図３】
0004914848.tif 000004
【図４】
0004914848.tif 000005
【図５】
0004914848.tif 000006
【図６】
0004914848.tif 000007